(57)【要約】【課題】  調湿作用と適度の弾性と通気性とを有し、生体と環境に優しく、最高級の本畳に匹敵する居住感触を有する自然素材製の畳を安価に提供すること。【解決手段】  無農薬藁材に防虫処理を施さずに用いた多層構造の畳を作るに当たり、樹皮砕片と木質パルプとの混合材に澱粉糊を添加して板状に圧縮成形することで、調湿作用と適度の弾性と通気性とを有するパルプ混在樹皮ボード１を作り、このボード１を下配藁層２と横手配藁層３との間に介在させて上配藁層４と共に逢合して畳床６を作り、その上面に配置した天然イグサ製の畳表７の縁辺を畳床６に逢着した。【選択図】図１
0003115834.tif 000002
【実用新案登録請求の範囲】
【請求項１】
無農薬藁材に防虫処理を施さずに用いた多層構造の畳において、樹皮砕片と木質パルプとの混合材に澱粉糊を添加して板状に圧縮成形することで、適度の弾性を有するパルプ混在樹皮ボードを作り、このボードを下配藁層と横手配藁層との間に介在させて上配藁層と共に逢合して畳床を作り、その上面に配置した天然イグサ製の畳表の縁辺を畳床に逢着した自然素材製の畳。
【請求項２】
無農薬藁材に防虫処理を施さずに用いた多層構造の畳において、樹皮砕片約４９％と木質パルプ約４９％との混合材に約２％の澱粉糊を添加して板状に圧縮成形することで、適度の弾性を有するパルプ混在樹皮ボードを作り、このボードを下配藁層と横手配藁層との間に介在させて上配藁層と共に逢合して畳床を作り、その上面に配置した天然イグサ製の畳表の縁辺を畳床に逢着した自然素材製の畳。
【請求項３】
無農薬藁材に防虫処理を施さずに用いた多層構造の畳において、杉樹皮砕片と木質パルプの混合材に澱粉糊を添加して板状に圧縮成形することで、適度の弾性を有するパルプ混在杉樹皮ボードを作り、このボードを下配藁層と横手配藁層との間に介在させて上配藁層と共に逢合して畳床を作り、その上面に配置した天然イグサ製の畳表の縁辺を畳床に逢着した自然素材製の畳。
【請求項４】
無農薬藁材に防虫処理を施さずに用いた多層構造の畳において、杉樹皮砕片約４９％と木質パルプ約４９％との混合材に約２％の澱粉糊を添加して板状に圧縮成形することで、適度の弾性を有するパルプ混在杉樹皮ボードを作り、このボードを下配藁層と横手配藁層との間に介在させて上配藁層と共に逢合して畳床を作り、その上面に配置した天然イグサ製の畳表の縁辺を畳床に逢着した自然素材製の畳。
【請求項５】
前記澱粉糊にコーンスターチ糊を用いてなる請求項１から請求項４までのいずれか一つの請求項に記載の自然素材製の畳。
【請求項６】
前記横手配藁層の下面に自然素材製の通気性裏面材を逢合してなる請求項１から請求項５までのいずれか一つの請求項に記載の自然素材製の畳。
【請求項７】
前記天然イグサ製の畳表として、柿渋染料を含浸させて染め込んだ天然イグサ製の畳表を用いた請求項１から請求項６までのいずれか一つの請求項に記載の自然素材製の畳。
【考案の詳細な説明】
【技術分野】
【０００１】
本考案は、自然素材だけで作った多層構造の畳に係り、特に、優れた調湿作用と適度の弾性と通気性とを有し、生体と環境に優しい自然素材製の畳に関する。
【背景技術】
【０００２】
調湿作用を有する人工畳には、従来、例えば下記の特許文献１のように、畳床の圧縮紙パルプ材と発泡スチロール材に穴をあけ備長炭、木炭収納部分を設け、穴のあいた不燃容器の中に備長炭と木炭を入れフタをして、備長炭、木炭収納部分の中に入れ、畳床の全面に和紙を貼り付け、畳表を畳床に逢合することで畳となしたものが周知である。
【特許文献１】特開平８−１３７５４号公報
【０００３】
この他に、本出願人が先に提案した下記の特許文献２のように、自然素材で作った調湿作用を有する畳として、多層構造の畳床を作るに当たり、その中間層に配置したハニカム構造体における多数の中空セル部内に木炭や竹炭ペレットを収納することで、調湿作用を得ると共に、生体や環境に優しい軽量な畳も従来周知である。
【特許文献２】実用新案登録第３０５５２１１号公報
【考案の開示】
【考案が解決しようとする課題】
【０００４】
前記特許文献１は、畳床とした圧縮紙パルプと厚肉の発泡スチロール板とに多数の木炭収納孔を縦方向に形成し、別途用意した多数の孔明き容器に木炭を収納し蓋をした後、これら多数の木炭収納施蓋済の孔明き容器を前記多数の木炭収納孔の全部に一個ずつ収める必要が有り、多くの作業手間が掛り、工場生産向きでなく、コスト高を招いていた。
【０００５】
また、上記特許文献１は、大量の発泡スチロールを使用しているので、最近その毒性が判明しつつ有る環境ホルモンの一種、例えばビスフェノールＡによる生体へ与える害毒が有るという問題点も有るし、発泡スチロールは腐らず、また土中に埋めても土に還元しないから、そのまま捨てる訳にもゆかず、廃品となった畳を燃焼させると高熱を発するので、焼却炉が短命化すると共に、燃焼時に有害ガス公害が生じ易く、廃品処理上にも多くの問題点が有る。
【０００６】
さらに、特許文献２は、木材繊維や砕片を板状に圧縮固化した上下二枚のインシュレーションボード間に炭片収納済ハニカム構造体をサンドイッチ式に介在した調湿作用を有する自然素材製の畳であるから、前記特許文献１のような問題点は解決できたが、この特許文献２の畳は、畳床に藁材を使用していないので、藁材畳よりも硬い感触となるため、居住感触に若干の違和感を伴ってしまうし、上記ハニカム構造体内に有る大量の炭片は腐らず、また土中に埋めても土に還元しないから、そのまま捨てる訳にもゆかず、廃品となった畳を燃焼させると、上記大量の炭片の燃焼による高熱を発し、焼却炉が短命化するので、廃品処理にも問題が生じているという本質的な問題点が有る。
【０００７】
また、無農薬藁材１００％使用の畳や防虫処理を施した稲藁材１００％使用の最高級本畳も有るが、上記無農薬藁材や稲藁自体が著しく高価なので、上記各最高級本畳も著しく高価であるし、特に、防虫処理を施した稲藁製の最高級本畳を敷設した居住区域では、防虫剤の空中発散により、室内空気が汚染するという本質的かつ、大きな問題点が有る。
【０００８】
本考案は、調湿作用と適度の弾性と通気性とを有し、生体と環境に優しく、最高級の本畳に匹敵する居住感触を有する自然素材製の畳を安価に提供することを目的とする。
【課題を解決するための手段】
【０００９】
上記本考案の目的は、無農薬藁材に防虫処理を施さずに用いた多層構造の畳を作るに当たり、樹皮砕片と木質パルプとの混合材に澱粉糊を添加して板状に圧縮成形することで、適度の弾性を有するパルプ混在樹皮ボードを作った後、このボードを下配藁層と横手配藁層との間に介在させて上配藁層と共に逢合して畳床を作り、その上面に配置した天然イグサ製の畳表の縁辺を畳床に逢着しことで達成できた。
【考案の効果】
【００１０】
本考案における請求項１および請求項２の各考案によれば、無農薬栽培による藁材に防虫処理を施さずに用いた多層構造の畳床の中間層部分に、樹皮砕片と木質パルプとの混合材に澱粉糊を添加して板状に圧縮成形して作ったパルプ混在樹皮ボードを介在したので、前記従来例における無農薬藁材や稲藁を１００％使用した前記最高級本畳に対し、本考案では著しく高価な無農薬藁材や稲藁の使用量を安価な上記樹皮ボードの介在分だけ逓減できたので、従来の著しく高価な最高級本畳に匹敵する居住感触を有する自然素材製の畳を安価に提供できるという優れた効果が有る。
【００１１】
また、上記各考案による自然素材製の畳は、上記パルプ混在樹皮ボード固有の優れた調湿作用と断熱作用および防音作用と適度の弾性と通気性とをそれぞれ畳に付与できたという効果が有ると共に、本考案による自然素材製の畳は、土中に埋めれば腐食し、土に還元するので、廃品処理や製造過程でのゴミ処理が容易であるし、環境ホルモン害毒のない優れた調湿作用と適度の弾性とを有する畳を自然素材だけで簡単に作ることができ、しかも、無農薬藁材に防虫処理を施さずに用いたので、生体や環境に優しい多層構造の畳を提供できたという効果も有る。
【００１２】
本考案における請求項３と請求項４の各考案によれば、杉樹皮砕片と木質パルプとの混合材に澱粉糊を添加して板状に圧縮成形することで、調湿作用と適度の弾性を有するパルプ混在杉樹皮ボードを作り、このボードを下配藁層と横手配藁層との間に介在させて上配藁層と共に逢合し、その上面に配置した天然イグサ製の畳表の縁辺を畳床に逢着したので、杉樹皮固有の抗菌効果を畳に満遍なく付与できるという効果を付加できた。
【００１３】
本考案における請求項５の考案のように、樹皮砕片と木質パルプとの混合材にコーンスターチ糊を添加して板状に圧縮成形したパルプ混在樹皮ボード作れば、コーンスターチ糊は約２％程度の少量添加でもパルプ混在樹皮ボードを確実に成形できるので、畳ミシン針の通りが一層良くなり、畳床を一層逢合し易くなったという効果を付加できた。
【００１４】
本考案における請求項６の考案のように、横手配藁層の下面に自然素材製の通気性を有する裏面材を逢合すれば、横手配藁層の下面における藁の『ササクレ』や『バラケ』を防止できるし、畳全体としての見栄えも良くなるという効果を付加でき、また請求項７の考案のように、前記天然イグサ製の畳表として、柿渋染料を含浸させて染め込んだ天然イグサで作った畳表を用いることで、畳表の日焼けによる変色を軽減できると共に、柿渋染め固有の風格有る畳表を有する自然素材製の畳を提供できるという効果を付加できた。
【考案を実施するための最良の形態】
【００１５】
この考案を実施するための最良の形態例は、図１のような多層構造の自然素材製の畳を作るに当たり、先ず、杉樹皮や檜樹皮などの樹皮砕片約４９％と木質パルプ約４９％との混合材に約２％のコーンスターチ糊または他の澱粉糊を添加して板状に圧縮成形することで、優れた調湿作用と断熱作用および防音作用と適度の弾性と通気性とをそれぞれ有する図２のようなパルプ混在樹皮ボード１を作る。
【００１６】
次いで、上記ボード１を図３のように下配藁層２と横手配藁層３との間に介在させて上配藁層４と裏面材５と共に周知の畳ミシンで逢合して畳床６を作り、その上面に図１のように配置した天然イグサ製の畳表７の縁辺を畳床６に周知の手段で逢着することで、優れた調湿作用と適度の弾性と通気性とを有し、生体と環境に優しく、最高級畳に匹敵する居住感触を有する自然素材製の畳を構成できた。
【００１７】
ただし、上記各構造部材には、すべて、通気性と吸湿性および脱湿性、すなわち、調湿作用を有している例えば無農薬栽培の自然素材に防虫処理を施さずに用いるが、特に上記パルプ混在樹皮ボード１には、優れた調湿作用と断熱作用および防音作用と適度の弾性と通気性とが有ると共に、上記ボード１にパルプ混在杉樹皮ボードを用いた場合には、杉樹皮には固有の殺菌作用か有るので、抗菌効果を畳全体に満遍なく付与できる。
【００１８】
本考案による自然素材製の畳は、以上のような構成となしたので、畳全体的として優れた調湿作用と適度の弾性と通気性とを有し、生体と環境に優しく、最高級の本畳に匹敵する居住感触を有する自然素材製の畳となり、特に、本考案による自然素材製の畳を家屋の床面などに整然と敷設して使用すると、畳床６の中間層に介在した前記パルプ混在樹皮ボード１による優れた吸湿作用で、『ツユ時』のような高湿時においても、この考案による自然素材製の畳は『ジメジメ』とした感じにならず、また、冬場の乾燥時にあっては、主として吸湿済の上記ボード１から湿気が徐々に畳の外面を経て放散するため、天然イグサ製の畳表５がササクレ立つこともなく、年間を通して常に快適な住環境を提供できる。
【００１９】
なお、パルプ混在樹皮ボード１の吸湿性および脱湿性による調湿作用は、年間を通して極めて緩徐に進行し、畳床６の側面と藁同士の微細な間隙や縫い合せ孔と縫い糸とのスキマから、夏場・冬場にそれぞれ緩徐に吸湿・脱湿させ得るから、年間を通して常に快適な住環境を提供できると共に、前記天然イグサ製の畳表７として、柿渋染料を含浸させて染め込んだ天然イグサて作った畳表７を用いることで、畳表７の日焼けによる変色を軽減できると共に、柿渋染め固有の風格有る畳表７を有する自然素材製の畳を提供できる。
【産業上の利用可能性】
【００２０】
本考案による自然素材製の畳は、家屋の床面以外に、体育館や室内競技場の柔道競技コーナーとか練習コーナーに敷設して使用することもできる。
【図面の簡単な説明】
【００２１】
【図１】本考案による畳の実施形態の一例を示す縦断側面図
【図２】本考案に用いるパルプ混在樹皮ボードの一例を示す縦断側面図
【図３】畳表を畳床に逢着する前の状態を示す縦断側面図
【符号の説明】
【００２２】
１  パルプ混在樹皮ボード
２  下配藁層
３  横手配藁層
４  上配藁層
５  裏面材
６  畳床
７  畳表
【図１】
0003115834.tif 000003
【図２】
0003115834.tif 000004
【図３】
0003115834.tif 000005